【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
電気回路に接続される複数の電気コネクタ端子を収容する電気コネクタ用ハウジングと、
電力スイッチ用ハウジング上側区画と、該電力スイッチ用ハウジング上側区画と一体的な電力スイッチ用ハウジング下側区画とを備えた電力スイッチ用ハウジングと、
を備えた組合式電気コネクタ／電力スイッチ・モジュールであって、
上記電力スイッチ用ハウジング上側区画は、上記電気コネクタ用ハウジングに作用的に結合された上記電気コネクタ端子および電気回路に対して電力を提供すべく該電力スイッチ用ハウジング上側区画内に配設された複数の電気接点と、該電力スイッチ用ハウジング上側区画内に配設された上記複数の接点から上記電気コネクタ用ハウジングの上記電気コネクタ端子への電力を制御すべく該電力スイッチ用ハウジング上側区画内に取付けられたスイッチ機構とを有し、且つ、
上記電力スイッチ用ハウジング下側区画は、該電力スイッチ用ハウジング下側区画の後側表面部分から該電力スイッチ用ハウジング下側区画の前側表面部分まで貫通延在する貫通ボアであってその内部には上記電気コネクタ用ハウジングが固定的に配設される貫通ボアを有する囲繞筒状構造を備える、
組合式電気コネクタ／電力スイッチ・モジュール。
【請求項２】
電気回路に接続される複数の電気コネクタ端子を収容する電気コネクタ用ハウジングと、
電力スイッチ用ハウジング上側区画と、該電力スイッチ用ハウジング上側区画と一体的な電力スイッチ用ハウジング下側区画とを備えた電力スイッチ用ハウジングと、
当該組合式電気コネクタ／電力スイッチ・モジュールをパネル部材に取付け可能とすべく上記電力スイッチ用ハウジング上側区画に取付けられた第1手段、および、当該組合式電気コネクタ／電力スイッチ・モジュールを上記パネル部材に取付け可能とすべく上記電力スイッチ用ハウジング上側区画に取付けられた上記第1手段と協働すべく上記電力スイッチ用ハウジング下側区画に取付けられた第2手段と、
を備えた組合式電気コネクタ／電力スイッチ・モジュールであって、
上記電力スイッチ用ハウジング上側区画は、上記電気コネクタ用ハウジングに作用的に結合された上記電気コネクタ端子および電気回路に対して電力を提供すべく該電力スイッチ用ハウジング上側区画内に配設された複数の電気接点と、該電力スイッチ用ハウジング上側区画内に配設された上記複数の接点から上記電気コネクタ用ハウジングの上記電気コネクタ端子への電力を制御すべく該電力スイッチ用ハウジング上側区画内に取付けられたスイッチ機構とを有し、且つ、
上記電力スイッチ用ハウジング下側区画は、該電力スイッチ用ハウジング下側区画の後側表面部分から該電力スイッチ用ハウジング下側区画の前側表面部分まで貫通延在する貫通ボアであってその内部には上記電気コネクタ用ハウジングが固定的に配設される貫通ボアを有する囲繞筒状構造を備える、
組合式電気コネクタ／電力スイッチ・モジュール。
【請求項３】
前記電気コネクタ用ハウジングおよび電力スイッチ用ハウジングは適切な熱可塑性材料から作製され、且つ、
上記電気コネクタ用ハウジングは上記電力スイッチ用ハウジングの前記電力スイッチ用ハウジング下側筒状区画内に超音波溶接により固定的に取付けられる、
請求項１または２に記載の組合式モジュール。
【請求項４】
前記電気コネクタ用ハウジングは前記電力スイッチ用ハウジングの前記電力スイッチ用ハウジング下側筒状区画内に接着剤接合により固定的に取付けられる、請求項１または２に記載の組合式モジュール。
【請求項５】
前記電気コネクタ用ハウジングの後部は、前記電力スイッチ用ハウジング下側筒状区画内に画成された前記貫通ボア内における該電気コネクタ用ハウジングの適切な着座を促進すべく上記電力スイッチ用ハウジング下側区画の前記後側表面部分に当接するフランジ部材を備える、請求項１または２に記載の組合式モジュール。
【請求項６】
前記電気コネクタ用ハウジングは、内側に電気コネクタ端子が夫々配設され得るセルの配列を備える、請求項１または２に記載の組合式モジュール。
【請求項７】
前記セルの配列は各行に３個のセルを備えた２行のセルから成る、請求項６に記載の組合式モジュール。
【請求項８】
前記電力スイッチ用ハウジング上側区画内に配設された前記複数の電気接点の内の第1の電気接点は共通電気接点を画成し、且つ、上記電力スイッチ用ハウジング上側区画内に配設された上記複数の電気接点の内の第2の電気接点は開閉電気接点を画成し、
前記スイッチ機構は接触片を備え、該接触片は、上記共通電気接点と常に接触すべく配設される第1部分と、上記電力スイッチに対するオン状態を規定すべく上記開閉電気接点に当該第2部分が係合する第1位置と上記電力スイッチに対するスタンバイ状態を規定すべく上記開閉電気接点から当該第2部分が係合解除される第2位置との間で移動可能な第2部分とを有し、且つ、
上記接触片の上記第2部分の移動もしくは上記第1および第2位置間の移動を引き起こすべく該接触片と接触してアクチュエータが配設される、
請求項１または２に記載の組合式モジュール。
【請求項９】
前記接触片は第1および第2脚部材を備えた実質的にU形状のヘアピン型接触片から成る、請求項８に記載の組合式モジュール。
【請求項１０】
前記接触片の前記第1脚部材は該第1脚部材に画成された該接触片の前記第1部分を、その回りにおいて該接触片が前記第1および第2位置の間で枢動可能に移動し得るという第1枢動軸心を前記共通電気接点と共に画成すべく上記共通電気接点の回りに配設された凹所部分として有し、且つ、
前記アクチュエータは、第1および第2位置の間で移動すべく第2枢動軸心の回りで枢動可能に移動し得る揺動子型アクチュエータであって、該アクチュエータが該アクチュエータの上記第1および第2位置間で移動されるときに上記接触片の上記第1および第2位置間で上記接触片を移動可能に作動すべく上記接触片の前記第2脚部材に係合する揺動子型アクチュエータを備える、
請求項９に記載の組合式モジュール。
【請求項１１】
前記第1の共通電気接点および第2の開閉電気接点の各部分に対して挟持的に係合すべく前記電力スイッチ用ハウジング上側区画に一体的に形成された実質的にC形状の挟持部材を更に備えて成る、請求項８に記載の組合式モジュール。
【請求項１２】
前記電力スイッチ用ハウジング上側区画は、各々に一対の開孔が画成される一対の対向配設側壁を備え、該一対の対向配設側壁の一方に画成された上記一対の開孔の各々は該一対の対向配設側壁の他方に画成された上記一対の開孔の各々と共軸的に整列され、且つ、
前記共通電気接点および前記開閉電気接点は上記電力スイッチ用ハウジング上側区画を横切るべく上記一対の対向配設側壁間において横方向に延在し、
上記共通電気接点の端部は、上記一対の対向配設側壁の内の第1の側壁に画成された上記各開孔の内の第1の開孔に入り、且つ、上記一対の対向配設側壁の内の第2の側壁に画成された上記各開孔の内の第1の開孔であって上記一対の対向配設側壁の内の上記第1の側壁に画成された上記各開孔の内の上記第1の開孔と共軸的に整列された第1の開孔を抜け、且つ、
上記開閉電気接点の端部は、上記一対の対向配設側壁の内の第2の側壁に画成された上記各開孔の内の第2の開孔に入り、且つ、上記一対の対向配設側壁の内の第1の側壁に画成された上記各開孔の内の第2の開孔であって上記一対の対向配設側壁の内の上記第2の側壁に画成された上記各開孔の内の上記第2の開孔と共軸的に整列された第2の開孔を抜ける、
請求項８に記載の組合式モジュール。